(57)【要約】【課題】鉄筋と型枠との距離にばらつきがあっても確実に埋込体の浮き上がりを防止する。【解決手段】型枠２３を敷き詰め、型枠２３に鉄筋２０を配筋し、型枠２３に埋込体２１を配置して鉄筋２０又は受け台に固定し、型枠２３にアンカー用貫通孔２４を形成し、位置調整ナット１１を予め緩め、アンカー部材７をアンカー用貫通孔２４に挿通して抜け止め部７ｂをアンカー用貫通孔２４周縁に引っ掛け、位置調整ナット１１を上方から締め付けることにより、アンカー部材７と鉤部１０との距離を調整し、確実に埋込体２１を固定する。【選択図】図７
2017048505.tif 000002
【特許請求の範囲】
【請求項１】
型枠内に配筋された鉄筋又は埋込体を保持する埋込体保持具が浮き上がるのを防止するコンクリートスラブ用アンカーにおいて、
上記鉄筋又は上記埋込体保持具に引っ掛けるための鉤部と、
上記鉤部を抜け止めする位置調整ナットが上端側ネジ部にネジ止めされるフックボルトと、
上端の上側貫通孔から上記フックボルトの下端部が挿入される連結部と、
上端が上記連結部の下側貫通孔から挿入されて該連結部に締結されるアンカーボルトと、
上記連結部の下側貫通孔と上記アンカーボルトの頭部との間に挿通されると共に、上記型枠に形成したアンカー用貫通孔の内径よりも小さい外径を有する本体部、及び、該本体部の上側に設けられて上記アンカー用貫通孔を通過可能で該アンカー用貫通孔を通過後に該アンカー用貫通孔の内径よりも広がる抜け止め部を有するアンカー部材とを備えており、
上記位置調整ナットの締付位置を調整することで、上記アンカー部材と上記鉤部との距離を調整可能に構成されている
ことを特徴とするコンクリートスラブ用アンカー。
【請求項２】
請求項１に記載のコンクリートスラブ用アンカーおいて、
上記鉤部は、
上記フックボルトの上端側ネジ部に挿通される貫通孔を有する水平部と、
上記水平部から上方へ延びると共に鉤状に折れ曲がった、上記鉄筋又は上記埋込体保持具が係合される係合部とを備えている
ことを特徴とするコンクリートスラブ用アンカー。
【請求項３】
請求項１又は２に記載のコンクリートスラブ用アンカーの使用方法において、
型枠を敷き詰める工程と、
上記型枠に鉄筋を配筋する工程と、
上記型枠に埋込体を配置し、上記鉄筋又は上記埋込体保持具に固定する工程と、
上記型枠にアンカー用貫通孔を形成する工程と、
上記鉄筋又は上記埋込体保持具に上記鉤部を引っ掛け、上記アンカー部材を上記アンカー用貫通孔に挿通して抜け止め部を該アンカー用貫通孔の周縁に引っ掛ける工程と、
上記型枠内にコンクリートを打設する工程と、
上記アンカーボルトを上記アンカー部材と共に取り外す工程と、
上記型枠を取り外す工程とを含み、
上記アンカー部材を上記アンカー用貫通孔に圧入する際に上記位置調整ナットを上方から締め付け又は緩めることにより、上記アンカー部材と上記鉤部との距離を調整する
ことを特徴とするコンクリートスラブ用アンカーの使用方法。
【発明の詳細な説明】
【技術分野】
【０００１】
本発明は、コンクリートスラブ用アンカー及びその使用方法に関するものである。
【背景技術】
【０００２】
従来より、鉄筋コンクリート造のマンションの床などを構成するコンクリートスラブを型枠板に並列した埋込体を用いて施工することが知られている。この埋込体は、コンクリートよりも比重が軽いので、コンクリートを打設する際に、上端筋が上方へ浮き上がろうとする。この浮き上がりを阻止し、この上端筋よりも上側部分のコンクリートのかぶり寸法を規制するコンクリートスラブ用フックアンカーは知られている（例えば、特許文献１参照）。
【０００３】
従来のコンクリートスラブ用アンカーでは、型枠にアンカー部材を挿通するために取付孔を形成しなければならず、コンクリートの打設後に型枠を取り外すと、取付孔が開口したままであり、次の打設現場でそのまま用いることができない。
【０００４】
そこで、特許文献２では、型枠に形成したアンカー用貫通孔を通過可能で、アンカー用貫通孔を通過後にアンカー用貫通孔の内径よりも広がる抜け止め部を有するアンカー部材と、アンカー部材の上端と連結部下端との間に挿入され、アンカー用貫通孔に圧入されるスペーサとを設けている。
【先行技術文献】
【特許文献】
【０００５】
【特許文献１】特開２００６−３４８７４６号公報
【特許文献２】特開２０１５−２５３３１号公報
【発明の概要】
【発明が解決しようとする課題】
【０００６】
しかしながら、特許文献２のコンクリートスラブ用アンカーにおいて、スペーサをアンカー用貫通孔に圧入する際に、このアンカー用貫通孔と鉄筋との間の距離にばらつきがあると、十分にアンカー部材をアンカー用貫通孔に差し込みきれず、アンカー部材が開ききらずに抜け止め効果を発揮しないことがある。このような際に型枠の下方からアンカーボルトを調整して上記距離を広げることもできるが、型枠下方から見上げての高所作業となる上に、他の部材が邪魔をして作業性が悪いという問題がある。
【０００７】
本発明は、かかる点に鑑みてなされたものであり、その目的とするところは、鉄筋と型枠との距離にばらつきがあっても確実かつ容易に埋込体の浮き上がりを防止することにある。
【課題を解決するための手段】
【０００８】
上記の目的を達成するために、この発明では、型枠の貫通孔と鉄筋又は埋込体を保持する埋込体保持具との間の距離を上方から調整可能にした。
【０００９】
具体的には、第１の発明では、
型枠内に配筋された鉄筋又は埋込体を保持する埋込体保持具が浮き上がるのを防止するコンクリートスラブ用アンカーにおいて、
上記鉄筋又は上記埋込体保持具に引っ掛けるための鉤部と、
上記鉤部を抜け止めする位置調整ナットが上端側ネジ部にネジ止めされるフックボルトと、
上端の上側貫通孔から上記フックボルトの下端部が挿入される連結部と、
上端が上記連結部の下側貫通孔から挿入されて該連結部に締結されるアンカーボルトと、
上記連結部の下側貫通孔と上記アンカーボルトの頭部との間に挿通されると共に、上記型枠に形成したアンカー用貫通孔の内径よりも小さい外径を有する本体部、及び、該本体部の上側に設けられて上記アンカー用貫通孔を通過可能で該アンカー用貫通孔を通過後に該アンカー用貫通孔の内径よりも広がる抜け止め部を有するアンカー部材とを備えており、
上記位置調整ナットの締付位置を調整することで、上記アンカー部材と上記鉤部との距離を調整可能に構成されている。
【００１０】
上記の発明によると、アンカー用貫通孔と鉄筋又は埋込体保持具との間の距離にばらつきがあっても、上方から位置調整ナットを緩めることで、適切な距離を確保して抜け止め部を確実に差し込んで広げて抜け止めすることができる。このため、打設時の埋込体の浮き上がりを確実かつ容易に防止することができる。
【００１１】
第２の発明では、第１の発明において、
上記鉤部は、
上記フックボルトの上端側ネジ部に挿通される貫通孔を有する水平部と、
上記水平部から上方へ延びると共に鉤状に折れ曲がった、上記鉄筋又は上記埋込体保持具が係合される係合部とを備えている。
【００１２】
上記の構成によると、簡単な構成で鉄筋又は埋込体保持具を容易に適切な位置で係合できる。
【００１３】
第３の発明では、第１又は第２の発明のコンクリートスラブ用アンカーの使用方法を前提とし、この使用方法は、
型枠を敷き詰める工程と、
上記型枠に鉄筋を配筋する工程と、
上記型枠に埋込体を配置し、上記鉄筋又は上記埋込体保持具に固定する工程と、
上記型枠にアンカー用貫通孔を形成する工程と、
上記鉄筋又は上記埋込体保持具に上記鉤部を引っ掛け、上記アンカー部材を上記アンカー用貫通孔に挿通して抜け止め部を該アンカー用貫通孔の周縁に引っ掛ける工程と、
上記型枠内にコンクリートを打設する工程と、
上記アンカーボルトを上記アンカー部材と共に取り外す工程と、
上記型枠を取り外す工程とを含み、
上記アンカー部材を上記アンカー用貫通孔に圧入する際に上記位置調整ナットを上方から締め付け又は緩めることにより、上記アンカー部材と上記鉤部との距離を調整する構成とする。
【００１４】
上記の発明によると、アンカー用貫通孔と鉄筋又は埋込体保持具との間の距離にばらつきがあっても、上方から位置調整ナットを緩めることで、適切な距離を確保して抜け止め部が広がって抜け止めすることができる。このため、打設時の埋込体の浮き上がりを確実かつ容易に防止することができる。
【発明の効果】
【００１５】
以上説明したように、本発明によれば、コンクリートスラブ用アンカーにおいて、位置調整ナットの締付位置を調整することで、アンカー部材と鉤部との距離を調整可能にしたことにより、鉄筋又は埋込体保持具と型枠との距離にばらつきがあっても確実かつ容易に埋込体の浮き上がりを防止することができる。
【図面の簡単な説明】
【００１６】
【図１】コンクリートスラブ用アンカーを示す正面図である。
【図２】コンクリートスラブ用アンカーを上方から挿入する様子を示す断面図である。
【図３】アンカー部材の先端をアンカー用貫通孔に圧入する様子を示す断面図である。
【図４】アンカー用貫通孔に押し込んで抜け止め部を広げる様子を示す断面図である。
【図５】抜け止め部の先端がアンカー用貫通孔の周縁に当接する様子を示す断面図である。
【図６】コンクリート打設の様子を示す断面図である。
【図７】コンクリート打設後にアンカー部材及び型枠を取り外す様子を示す断面図である。
【図８】コンクリートスラブ用アンカーを受け台に引っ掛けた様子を示す断面図である。
【発明を実施するための形態】
【００１７】
以下、本発明の実施形態を図面に基づいて説明する。
【００１８】
−コンクリートスラブ用アンカーの構成−
図１は本発明の実施形態のコンクリートスラブ用アンカー１を示し、このコンクリートスラブ用アンカー１は、例えば金属製の丸棒等よりなる、上端側ネジ部２ａが上端に形成された丸棒状のフックボルト２を備えている。上端側ネジ部２ａには、Ｕ字状に折り曲げられた鉤部１０が挿通され、この鉤部１０を抜け止めする位置調整ナット１１がネジ止めされるようになっている。鉤部１０は、フックボルト２の上端側ネジ部２ａに挿通される貫通孔（図示せず）を有する水平部１０ａと、この水平部１０ａから上方へ延びると共に鉤状に折れ曲がった係合部１０ｂとを備えている。なお、この鉤部１０は、例えば、亜鉛鋼板よりなるが、樹脂成形品など他の材料で形成してもよい。
【００１９】
そして、フックボルト２の下端部には下端側ネジ部２ｂが形成されている。鉤部１０は、後述する鉄筋２０又は埋込体２１を保持する埋込体保持具としての受け台２２に引っ掛ける役割を果たす。下端側ネジ部２ｂは、例えば樹脂成形品よりなる連結部３が締結されるようになっている。なお、上端側ネジ部２ａのネジ加工範囲は、鉤部１０が広範囲で位置調整可能なように、下端側ネジ部２ｂよりも広めに取っておくとよい。
【００２０】
連結部３は、上端に円形の上側貫通孔３ａが形成され、その下側に正面側が開口した上側ナット収容部３ｂが形成されている。上側ナット収容部３ｂの下側には正面が開口した長さ調整部３ｃが形成されている。この上側ナット収容部３ｂに正面側から回転不能に収容された上側ナット４にフックボルト２の下端側ネジ部２ｂを締結し、長さ調整部３ｃに下端側ネジ部２ｂを進退させることで、下端側ネジ部２ｂの連結部３内への挿入深さを調整可能となっている。なお、フックボルト２の下端側ネジ部２ｂを長さ調整部３ｃの底部に接触するまで挿入してもよい。
【００２１】
長さ調整部３ｃの下側には、正面側が開口した下側ナット収容部３ｄが形成されている。連結部３の下端は、この下側ナット収容部３ｄのあたりから先細となっており、下端は、さらに外径が細くなった円筒状細径部３ｅが形成されている。なお、この細径部３ｅは、後述するアンカー用貫通孔２４を通過可能であれば、円筒状に限定されない。細径部３ｅから下側ナット収容部３ｄにかけて下側貫通孔３ｆが形成されている。この下側貫通孔３ｆには、アンカーボルト５の上端が挿入されて下側ナット収容部３ｄに正面側から回転不能に収容された下側ナット６に締結されるようになっている。
【００２２】
連結部３の下側貫通孔３ｆとアンカーボルト５の頭部５ａとの間には、例えば樹脂成形品よりなるアンカー部材７が挿通されるようになっている。アンカー部材７の下端には、型枠２３に形成したアンカー用貫通孔２４の内径よりも若干小さい外径を有する円筒状の本体部７ａが形成されている。この本体部７ａの上側には、アンカー用貫通孔２４を通過可能で、このアンカー用貫通孔２４を通過後にアンカー用貫通孔２４の内径よりも広がる抜け止め部７ｂが形成されている。この抜け止め部７ｂは、例えば、４本の下端のみが本体部７ａ上端に連結されたものよりなる。抜け止め部７ｂのある部分には、本体部７ａ上端からアンカーボルト５の軸方向に伸びる、例えば一対のスペーサ当接部７ｃが形成されている。
【００２３】
この一対のスペーサ当接部７ｃの上端と連結部３の細径部３ｅとの間には、アンカー用貫通孔２４に圧入されるスペーサ８が挟持されるようになっている。スペーサ８は、略円筒形状のもので、圧入して抜け出さないようにするために、例えば下端側はアンカー用貫通孔２４の内径とほぼ同じ外径であり、上端に向かって徐々に外径が広がるように形成されているのが望ましい。なお、本実施形態では、連結部３を樹脂成形品で形成しているので、上側ナット４及び下側ナット６を収容しているが、金属製であれば、上側貫通孔３ａ及び下側貫通孔３ｆ自体に雌ネジをそれぞれ形成してもよい。
【００２４】
−コンクリートスラブ用アンカーの使用方法−
次いで、本実施形態のコンクリートスラブ用アンカー１の使用方法について説明する。
【００２５】
まず、施工現場にて木製板材よりなる型枠２３を敷き詰める。
【００２６】
次いで、型枠２３に鉄筋２０を配筋する。鉄筋２０は、網目状に並べて組まれる。
【００２７】
次いで、組まれた鉄筋２０の間に埋込体２１を嵌め込む。埋込体２１は、発泡スチロール、中空の樹脂成形品、環状の中空部材、球状の中空部材等特に限定されない。発泡スチロールの埋込体２１の場合、鉄筋２０で形成された格子内に１つずつ設置する。この埋込体２１の上面及び下面の凹部２１ａに鉄筋２０が嵌まり込む。一方、環状の中空部材の場合などには、図８に示すように、型枠２３に置かれた受け台２２の上に埋込体２１を配置し固定してもよい。受け台２２は自立する脚部２２ｂを有するが、その形状は特に限定されない。
【００２８】
次いで、型枠２３にアンカー用貫通孔２４を形成する。このアンカー用貫通孔２４は、予め定位置に形成しておいてもよい。
【００２９】
そして、図２に示すように、上方から鉄筋２０に鉤部１０を引っ掛ける作業を行う。この鉄筋２０は、上面側の凹部２１ａに嵌まり込んだ上面側の鉄筋２０である。位置調整ナット１１の位置は、誤差なく鉄筋２０及び型枠２３が配置された場合に適切に鉤部１０を鉄筋２０に係合できる位置よりも余裕を持って高い位置にしておく。
【００３０】
まず図３に示すように、アンカー部材７をアンカー用貫通孔２４に挿通する。このとき、従来は、鉤部１０を上方から押し付けて、連結部３の下端の細径部３ｅまでアンカー用貫通孔２４に挿通していたが、全体の撓みなどにより、設計通りに鉄筋２０と型枠との距離が保たれていないことがある。このような場合は従来のように鉄筋２０を撓ませても十分にアンカー部材７を差し込むことができない。しかし、本実施形態では、位置調整ナット１１が予め余裕を持って上方に位置付けられているので、容易に連結部３の下端の細径部３ｅまでアンカー用貫通孔２４に挿通できる。このとき、抜け止め部７ｂは、撓みやすいので、アンカー用貫通孔２４を通過するときには外径が小さくなる。本実施形態では、上端側ネジ部２ａの長さを長く確保しているので、フックボルト２が斜めに固定されるような場合でも長さ調整がしやすい。
【００３１】
図４に示すように、フックボルト２の下端側ネジ部２ｂの挿入深さは予め設定されているので、挿入作業において抜け止め部７ｂを広げるための挿入深さの余裕はないが、細径部３ｅまで挿入させることで、挿入高さｈ１が確保され、抜け止め部７ｂの上端が確実に広がる。このとき、圧入されたスペーサ８は、その下端がアンカー用貫通孔２４から飛び出している。
【００３２】
次いで、図５に示すように、鉤部１０と鉄筋２０との間の隙間が確保されているが、この隙間を位置調整ナット１１を上方から電動ドライバなどで締め付けると、抜け止め部７ｂの上端がアンカー用貫通孔２４周縁に当接し、抜け止め効果が確実に発揮される。スペーサ８は、上方に少し引っ張られてアンカー用貫通孔２４内面に圧入された状態で止まり、細径部３ｅは、アンカー用貫通孔２４から上方へ抜け出す。なお、図８に示すように、受け台２２の受け部２２ａにも同様に鉤部１０を引っ掛けるのが望ましい。この場合、鉤部１０の掛ける位置は特に限定されず、その長さは、受け台２２の引っ掛ける位置に合わせて短くしてもよい。
【００３３】
次いで、図６に示すように、型枠２３内にコンクリート２５を打設する。このとき、フックボルト２の鉤部１０を鉄筋２０及び受け部２２ａに引っ掛けた状態で抜け止め部７ｂが広がって抜け止めしているので、打設時の埋込体２１が浮力により浮き上がろうとするが、その浮き上がりを確実に防止することができる。
【００３４】
次いで、図７に示すように、アンカーボルト５をアンカー部材７と共に取り外す。スペーサ８はアンカー用貫通孔２４に圧入されているので、アンカー用貫通孔２４に残る。
【００３５】
最後に型枠２３をスペーサ８と共に取り外す。
【００３６】
したがって、本実施形態に係るコンクリートスラブ用アンカー１によると、鉄筋２０と型枠２３との距離にばらつきがあっても、確実に埋込体２１の浮き上がりを防止すると共に、打設後に型枠２３の再利用を容易にすることができる。
【００３７】
（その他の実施形態）
本発明は、上記実施形態について、以下のような構成としてもよい。
【００３８】
すなわち、上記実施形態では、鉤部１０に１本の鉄筋２０を掛けるようにしているが、２本以上の鉄筋２０を一度に掛けるようにしてもよい。
【００３９】
なお、上記実施形態では、型枠２３が再利用できるようにスペーサ８を用いる方法を示しているが、このスペーサ８は、必ずしも必要ではなく、スペーサ８を用いない構造でもよい。この場合には、型枠２３を取り外した後、アンカー用貫通孔２４は開口されたままとなる。
【００４０】
以上の実施形態は、本質的に好ましい例示であって、本発明、その適用物や用途の範囲を制限することを意図するものではない。
【符号の説明】
【００４１】
１      コンクリートスラブ用アンカー
２      フックボルト
２ａ    上端側ネジ部
２ｂ    下端側ネジ部
３      連結部
３ａ    上側貫通孔
３ｂ    上側ナット収容部
３ｃ    調整部
３ｄ    下側ナット収容部
３ｅ    細径部
３ｆ    下側貫通孔
４      上側ナット
５      アンカーボルト
５ａ    頭部
６      下側ナット
７      アンカー部材
７ａ    本体部
７ｂ    抜け止め部
７ｃ    スペーサ当接部
８      スペーサ
１０      鉤部
１０ａ    水平部
１０ｂ    係合部
１１      位置調整ナット
２０      鉄筋
２１      埋込体
２２      受け台
２３      型枠
２４      アンカー用貫通孔
２５      コンクリート
【図１】
2017048505.tif 000003
【図２】
2017048505.tif 000004
【図３】
2017048505.tif 000005
【図４】
2017048505.tif 000006
【図５】
2017048505.tif 000007
【図６】
2017048505.tif 000008
【図７】
2017048505.tif 000009
【図８】
2017048505.tif 000010